(57)【要約】【課題】    本発明は、大型化することなく突発的な大出力を出力することができ、かつ適切な過電流状態で増幅装置の動作を停止することができる新規の増幅装置を提供する。【解決手段】  パワースイッチ素子３に流れる電流値を検出する電流検出回路１１と、この電流検出回路で検出した電流が基準を超えているか否かを検出する過電流検出回路１２と、前記過電流検出回路が過電流を検出した場合に、増幅装置の動作を停止させる出力停止回路１４と、前記過電流検出回路にて過電流が流れていることを検出しても一定期間内は前記出力停止回路１４が前記増幅装置１の動作を停止させないように構成してある信号遅延回路１３と、を備えてあることを特徴とする増幅装置。【選択図】図１
2007088528.tif 000002
【特許請求の範囲】
【請求項１】
パワースイッチ素子に流れる電流値を検出する電流検出回路と、この電流検出回路で検出した電流が基準を超えているか否かを検出する過電流検出回路と、前記過電流検出回路が過電流を検出した場合に、増幅装置の動作を停止させる出力停止回路と、前記過電流検出回路にて過電流が流れていることを検出しても一定期間内は前記出力停止回路が前記増幅装置の動作を停止させないように構成してある信号遅延回路と、を備えてあることを特徴とする増幅装置。
【請求項２】
前記信号遅延回路にタイミングコンデンサを用いていることを特徴とする請求項１記載の増幅装置。
【発明の詳細な説明】
【技術分野】
【０００１】
本発明は、例えばオーディオなどに用いられるパワースイッチ素子を備えた増幅装置に関するものである。
【背景技術】
【０００２】
一般に増幅装置は、音楽信号を増幅する場合、オーディオアンプの平均出力電流は小さいが、大きな突発音など再生する場合、非常に大きな電流を短時間で出力する必要があった。そのため、パワーアンプ出力には過電流による機器破損を防ぐための過電流保護機能を付加していることが一般的である（例えば、特許文献１の従来例参照）。
【特許文献１】特開２００５−１２３６９５公報
【発明の開示】
【発明が解決しようとする課題】
【０００３】
一般に増幅装置の出力電流上限は増幅装置自体の損失による増幅装置の温度上昇と密接に関連しており、出力電流を大きくする場合、増幅装置のパワースイッチ素子を大きくし、その放熱機構も大型なものにする必要がある。
【０００４】
上記の条件の下、従来の増幅装置は、突発的な大音量に対応するだけの電流を流せる設計にし、過電流として検出される電流値はこの大音量時の電流より若干大きめに設定されているため、実際には起こりえないほどの大電流に連続して耐えるよう設計しなければならず、増幅装置が大型化並びに高コスト化するという課題があった。
【０００５】
本発明は、上記問題に鑑みてなされたものであり、大型化することなく突発的な大出力を出力することができ、かつ適切な過電流状態で増幅装置の動作を停止することができる新規の増幅装置を提供する。
【課題を解決するための手段】
【０００６】
上記課題を解決するために、本発明に係る増幅装置は、パワースイッチ素子に流れる電流値を検出する電流検出回路と、この電流検出回路で検出した電流が基準を超えているか否かを検出する過電流検出回路と、前記過電流検出回路が過電流を検出した場合に、増幅装置の動作を停止させる出力停止回路と、前記過電流検出回路にて過電流が流れていることを検出しても一定期間内は前記出力停止回路が前記増幅装置の動作を停止させないように構成してある信号遅延回路と、を備えてあることを特徴とする。
【０００７】
前記信号遅延回路にタイミングコンデンサを用いていることを特徴とする。
【発明の効果】
【０００８】
本発明によれば、一定期間以上過電流が流れ続けている場合にのみアンプの動作を停止させるため、増幅装置を大型化することなく、過電流による増幅装置の破壊を防ぐことができるという効果がある。
【０００９】
一般に大電流が短時間流れる場合、増幅装置自身の損失による発熱も短期間となり、連続で大電流を流す場合に比べ温度上昇は大幅に小さくなるという効果がある。
【００１０】
したがって、本発明のように瞬間的に大電流を流すような構成にしても、発熱が小さいために増幅装置が破壊することなく、かつ、発熱が大きくなる連続的な過電流状態では増幅装置の動作を停止させ、破壊を防ぐことができる効果がある。
【００１１】
また、本発明によれば、比較的簡単な構成で、過電流による増幅装置の破壊を防ぐことができることで、増幅装置の低コスト化を図ることもできる効果がある。
【発明を実施するための最良の形態】
【００１２】
発明を実施するための最良の形態に係る増幅装置の回路図を図１に示す。図１図示の増幅装置１は、二対のパワースイッチ素子３Ａ，３Ｂを備え、一方のパワースイッチ素子３Ａは正電源２Ａと接続し、他方のパワースイッチ素子３Ｂは負電源２Ｂを接続してある。また、これらパワースイッチ素子３Ａ，３Ｂの出力にインダクタ５、平滑コンデンサ６及び直流阻止コンデンサ７を介してスピーカ４を接続してある。
【００１３】
本発明では、パワースイッチ素子３Ａ，３Ｂに流れる電流を電圧として検出する電流検出回路１１を備えてある。本実施例においては、一方のパワースイッチ素子３Ａの入力部に接続してある。なお、電流検出回路１１はパワースイッチ素子３Ａ，３Ｂに流れる電流値を検出することができればよいため、場所は問わない。
【００１４】
さらに、パワースイッチ素子３Ａ，３Ｂ自体のオン抵抗を電流検出回路１１とし、パワースイッチ素子３Ａ，３Ｂに流れる電流値を検出しても本発明を実現可能である。
【００１５】
本発明では、電流検出回路１１で検出した電流が基準を超えているか否かを検出する過電流検出回路１２を備えてある。本実施例においては、過電流検出回路１２を比較器で構成し、この比較器で電流検出回路１１の出力電圧と基準電圧とを比較して過電流を検出している。
【００１６】
本発明では、過電流検出回路１２が過電流を検出した場合に、増幅装置１の動作を停止させる出力停止回路１４を備えてある。本実施例においては、出力停止回路１４をＡＮＤ回路で構成し、過電流である場合、入力信号のみ入力し、ドライバ１５に入力信号を送信した場合、パワースイッチ素子３Ａ，３Ｂをオフさせて、増幅装置１の動作を停止させるようにしてある。
【００１７】
本発明では、大きな特徴である信号遅延回路１３を備えてある。この信号遅延回路１３は、過電流検出回路１２にて過電流が流れていることを検出しても一定期間内は出力停止回路１４が増幅装置１の動作を停止させない回路であり、本実施例においては、タイミングコンデンサを用いて、過電流検出回路１２にて過電流が流れていることを検出しても一定期間内は出力停止回路１４が前記増幅装置の動作を停止させないように構成してある。
【００１８】
以上のように構成されている増幅装置の作用について図２の波形図に基づいて説明する。先ず、通常時、即ち過電流として検知されない場合について説明する。この場合は、パワースイッチ素子３Ａ，３Ｂはオン・オフを繰り返し、パルス波形を形成する。このとき、電流検出回路１１では、パワースイッチ素子３Ａ，３Ｂに流れる電流値を検出する。
【００１９】
電流検出回路１１で検出した電流は過電流検出回路１２で基準電流と比較される。通常時においては、検出電流は基準電流を満たないため、ハイ信号が出力される。この信号は信号遅延回路１３を介して出力停止回路１４に出力される。通常時は出力停止回路１４に入力信号と過電流検出信号１２からのハイ信号とが出力されるため、出力停止回路１４からオン信号が出力される。この信号がドライバ１５を介して、オン信号としてパワースイッチ素子３Ａ，３Ｂに出力され、パワースイッチ素子３Ａ，３Ｂはオンの状態が続く。
【００２０】
続いて、例えば突発的な大音量が流れることにより、増幅装置１に過電流が一定期間内流れる場合について説明する。この場合も通常時と同様に、パワースイッチ素子３Ａ，３Ｂはオン・オフを繰り返し、パルス波形を形成し、電流検出回路１１では、パワースイッチ素子３Ａ，３Ｂに流れる電流値を検出する。
【００２１】
電流検出回路１１で検出した電流は過電流検出回路１２で基準電流と比較される。この場合においては、検出電流は基準電流を瞬間超えるため、ロウ信号が出力される。この信号が流れると、信号遅延回路１３に備えたコンデンサが充電を開始するため、信号遅延回路での出力は低下する。但し、この場合においては、出力停止回路１４に出力される信号は閾値以下にならないため、信号は出力される。出力停止回路１４には入力信号と信号遅延回路１３を介した信号とが出力されるため、出力停止回路１４からオン信号が出力される。この信号がドライバ１５を介して、オン信号としてパワースイッチ素子３Ａ，３Ｂに出力され、パワースイッチ素子３Ａ，３Ｂはオンの状態が続く。
【００２２】
続いて、例えば大音量が長時間流れることにより、増幅装置１に過電流が一定期間以上流れる場合について説明する。この場合も通常時と同様に、パワースイッチ素子３Ａ，３Ｂはオン・オフを繰り返し、パルス波形を形成し、電流検出回路１１では、パワースイッチ素子３Ａ，３Ｂに流れる電流値を検出する。
【００２３】
電流検出回路１１で検出した電流は過電流検出回路１２で基準電流と比較される。この場合においては、検出電流は基準電流を超えるため、ロウ信号が出力される。この信号が流れると、信号遅延回路１３に備えたコンデンサが充電を開始する。この場合はコンデンサで満充電となるため、出力停止回路１４に出力される信号は閾値以下になる。これにより、出力停止回路１４には過電流検出信号が入力される。過電流検出信号はロウ信号であるため、出力停止回路１４には入力信号のみ出力されることとなるため、出力停止回路１４からオフ信号が出力され、パワースイッチ素子３Ａ，３Ｂはオフする。
【００２４】
以上より、一定期間以上過電流が流れ続けている場合にのみアンプの動作を停止させるため、増幅装置を大型化することなく、過電流による増幅装置の破壊を防ぐことができる。また、比較的簡単な構成で、過電流による増幅装置の破壊を防ぐことができることで、増幅装置の低コスト化を図ることもできる。
【００２５】
なお、本実施例において、過電流検出回路１２に比較器を用いたり、信号遅延回路１３にタイミングコンデンサを用いたり、また、出力停止回路１４にＡＮＤ回路を用いたりしているが、本発明はこれらに限定されず、特許請求の範囲に記載してある内容を全て含む。
【産業上の利用可能性】
【００２６】
本発明によれば、一定期間以上過電流が流れ続けている場合にのみアンプの動作を停止させるため、増幅装置を大型化することなく、過電流による増幅装置の破壊を防ぐことができ、産業上利用可能である。
【００２７】
また、本発明によれば、瞬間的に大電流を流すような構成にしても、発熱が小さいために増幅装置が破壊することなく、かつ、発熱が大きくなる連続的な過電流状態では増幅装置の動作を停止させ、破壊を防ぐことができ、産業上利用可能である。
【００２８】
また、本発明によれば、比較的簡単な構成で、過電流による増幅装置の破壊を防ぐことができることで、増幅装置の低コスト化を図ることもでき、産業上利用可能である。
【図面の簡単な説明】
【００２９】
【図１】本発明に係る増幅装置を示した回路図である。
【図２】図１図示実施形態に係る電流波形図である。
【符号の説明】
【００３０】
１  増幅装置
２  電源
３Ａ，３Ｂ  パワースイッチ素子
４  スピーカ
５  インダクタ
６  平滑コンデンサ
７  直流阻止コンデンサ
１１  電流検出回路
１２  過電流検出回路
１３  信号遅延回路
１４  出力停止回路
１５  ドライバ
【図１】
2007088528.tif 000003
【図２】
2007088528.tif 000004